(57)【要約】窒素で満たされる外側のバルブによって囲まれる放電容器を有する放電ランプにおいて、80重量パーセントを超えるZr及びCo並びに希土類元素から選択される1つ以上の元素を有する水素ゲッタが用いられる。ゲッタは、外側バルブから水素を効果的に除去し、窒素によって汚染されない。
2004524671.tif 000002
【特許請求の範囲】
【請求項１】
ガスで満たされゲッタを備えた外側バルブによってある距離離れたところで囲まれた放電容器を備えた放電ランプにおいて、前記ゲッタは、80重量パーセントを超えるZr及びCoを有し、更に、希土類金属から選択される1つ以上の元素を有することを特徴とする放電ランプ。
【請求項２】
請求項1に記載の放電ランプにおいて、前記外側バルブに存在する前記ガスは窒素を含む、放電ランプ。
【請求項３】
請求項1又は2に記載の放電ランプにおいて、前記ゲッタの前記希土類金属は、Ce、La及びNdを含む群から選択される、放電ランプ。
【請求項４】
請求項1、2又は3に記載の放電ランプにおいて、前記ゲッタ中のZrの重量パーセントが75%〜85%の間に選択され、Coの重量パーセントが10%〜20%の間に選択され、前記希土類金属の重量パーセントが1％〜10％の間に選択される、放電ランプ。
【請求項５】
請求項1乃至4の何れか1項に記載の放電ランプにおいて、前記放電ランプはメタルハライドランプである、放電ランプ。
【発明の詳細な説明】
【技術分野】
【０００１】
本発明は、ガスで満たされゲッタを備えた外側バルブによってある距離離れたところで囲まれた放電容器を備えた放電ランプに関する。
【背景技術】
【０００２】
このような放電ランプは、既知である。このような放電ランプの例は、メタルハライドランプである。既知であるこのような放電ランプにおいて、外側バルブは多くの場合窒素で満たされており、この圧力は室温で250mbar〜600mbarの範囲にあるように選択される。ゲッタは、ランプ製造の間外側バルブ内に入ってくる水素を除去するために、ランプに存在する。この水素が外側バルブから除去されない場合、この水素は、放電容器壁を通じて拡散によって放電容器に入ってくる。この場合、放電ランプの再点火は問題になる。実際には、窒素雰囲気で外側バルブから少量の水素が大部分除去可能であるようなゲッタを得ることは困難である。ゲッタは、水素が効果的に除去されると同時に該ゲッタが窒素によって汚染されてはならないという要件を満たさなければならない。後者の要件は、多くの場合、比較的高い温度でしばらくの間ゲッタを加熱することによってはゲッタを稼動させることができないという結果を生じる。このような稼動は、ゲッタが窒素によって汚染されてしまうような程度まで、窒素をゲッタリングするための「ゲッタ活動」を増加することになる。
【発明の開示】
【発明が解決しようとする課題】
【０００３】
本発明の目的は、ガスで満たされた外側バルブを備えると共にゲッタを備える放電ランプにおいて、前記ゲッタによって水素が前記外側バルブから効果的な態様で除去される放電ランプを提供することである。
【課題を解決するための手段】
【０００４】
これを達成するためには、冒頭に記載したような放電ランプは、本発明により、前記ゲッタが、80重量パーセントを超えるZr及びCoを有し、更に、1つ以上の元素が希土類元素の中から選択されることを特徴とする。
【０００５】
本発明による放電ランプにおいて、水素が放電ランプの外側バルブから効果的に除去されることが分かった。ゲッタを稼動させることは不要であり、ゲッタは、外側バルブに存在する他のガスによってさほど汚染されることがなく、そのため水素ゲッタリング動作が著しく低下したことが分かった。
【０００６】
本発明による放電ランプの好適な実施例において、ガス組成は、窒素を含む。本発明による放電ランプの外側バルブにおいて用いられるゲッタが、窒素によって飽和されることなく、且つ、ゲッタを稼動させる必要なく、水素を効果的にゲッタリングすることが可能であることが分かった。
【０００７】
ゲッタ内に存在する希土類金属がCe、La及びNdを含む群から選択される本発明による放電ランプの実施例において良い結果が得られた。
【０００８】
ゲッタ中のZrの重量パーセントが75%〜85%の間に選択され、Coの重量パーセントが10%〜20%の間に選択され、希土類金属の重量パーセントが1％〜10％の間に選択される本発明による放電ランプの実施例においても同様に良い結果が得られた。良い結果が得られた本発明による放電ランプは、メタルハライドランプである。これらのランプの外側バルブの水素の量は、比較的短い燃焼時間の後に実質的にゼロに落ちたことが分かっている。
【発明を実施するための最良の形態】
【０００９】
本発明の例が、図面を参照して更に詳細に説明される。
【００１０】
図1において、放電ランプを電源に固定するための接点9がある。接点9は、ランプベース8に固定される。ランプベース8にはハードガラスから形成される外側バルブ4が固定され、これが窒素で満たされた気密な領域を囲む。窒素の充填圧力は、室温で、ほぼ500mbarである。この領域に、石英ガラスから形成された放電容器1が存在し、供給導体5に固定される。供給導体5の1つに、ゲッタ6も固定される。ゲッタ6はSAESにより製造されたものであり、St787/DF25と呼ばれ、Zrをほぼ80重量パーセント、Coを15重量パーセント、La、Nd及びCeを有する希土類元素の混合物を5重量パーセント有する。放電ランプはメタルハライドランプであり、放電容器は60mbarのAr及びメタルアイオダイドの混合物を有する。参照番号2は、電流供給導体3を介して供給導体5と接続された放電ランプの電極を指す。図1に示す放電ランプについて、100時間の燃焼の後に、そして、200時間の燃焼の後に、外側バルブに存在する水素の量は、0.001mol%未満であることが分かった。
【００１１】
表1は、SAESからのSt
787/DF25ゲッタ及びPH/DF50ゲッタの両方の窒素感度が評価される実験の結果を示す。ゲッタPH/DF50は、外側バルブが窒素で満たされる放電ランプにおいて多くの場合用いられるゲッタである。ゲッタPH/DF50は、Zr2Niを70重量パーセント、Niを20重量パーセント、そしてWを10重量パーセント有する。各ゲッタは、異なった時間間隔について、温度500℃で1000mbarの窒素雰囲気下に置かれた。次に、水素吸収のための動作が、1mol%水素を有するアルゴン流れにおいて測定された。表は、2つのゲッタの500℃における窒素との0、1，19、70及び384時間の接触後の最大水素ゲッタ速度Jmaxを示す。表は、この最大ゲッタ速度が到達されるまでにどれくらい掛かったか(timemax)及びゲッタの容量の値Qも示す。St787/DF25の最大水素ゲッタ速度がPH/DF50の最大水素ゲッタ速度よりも常に高いことが分かる。更に、窒素雰囲気への比較的長い曝露の後、この最大ゲッタ速度は、St787/DF25ゲッタによって、PH/DF50ゲッタによってよりも相当に早く到達されることが分かる。最後に、ゲッタが500℃の窒素雰囲気と接触していた計測した全ての時間の後のゲッタの水素の容量は、St787/DF25の場合にPH/DF50の場合よりもかなり高いことが分かる。従って、表1のデータは、窒素雰囲気においてSt787/DF25がPH/DF50よりも効果的な水素ゲッタであることを明確に示す。
【００１２】
【表１】
2004524671.tif 000003
【図面の簡単な説明】
【００１３】
【図１】本発明による放電ランプの例を示す。
【国際公開パンフレット】
2004524671.tif 000004
2004524671.tif 000005
2004524671.tif 000006
2004524671.tif 000007
2004524671.tif 000008
2004524671.tif 000009
2004524671.tif 000010
【国際公開パンフレット（コレクトバージョン）】
2004524671.tif 000011
【国際調査報告】
2004524671.tif 000012
2004524671.tif 000013
2004524671.tif 000014
2004524671.tif 000015
2004524671.tif 000016